(57)【要約】【課題】  投影画像に対して投影環境に柔軟に対応した補正を行い、最適な色で画像の投影を行うことができる電子機器を提供する。【解決手段】  表示部６０に表示された画像を投影する投影部４８と、投影面を撮像する撮像素子４０と、前記投影面に投影された基準画像を、前記撮像素子により撮像した撮像画像に基づいて投影環境を検出する投影環境検出部５０と、前記投影環境に基づいて予め設定された所定のガンマカーブを補正し、補正値を設定する補正値設定部５２と、前記補正値設定部により設定された補正値を用いて前記投影画像に対して補正を行う画像処理部５４とを備えることを特徴とする。【選択図】  図３
2010183465.tif 000002
【特許請求の範囲】
【請求項１】
表示部に表示された画像を投影する投影部と、
投影面を撮像する撮像素子と、
前記投影面に投影された基準画像を、前記撮像素子により撮像した撮像画像に基づいて投影環境を検出する投影環境検出部と、
前記投影環境に基づいて予め設定された所定のガンマカーブを補正し、補正値を設定する補正値設定部と、
前記補正値設定部により設定された補正値を用いて前記投影画像に対して補正を行う画像処理部と
を備えることを特徴とする電子機器。
【請求項２】
前記投影環境検出部は、前記撮像画像の画像データから色温度を求め、前記色温度に基づいて投影環境を検出することを特徴とする請求項１記載の電子機器。
【請求項３】
前記投影部は、複数の前記基準画像をそれぞれ投影し、
前記投影環境検出部は複数の前記基準画像の投影毎に前記投影面を撮像した複数の前記撮像画像に基づいて前記投影環境を検出することを特徴とする請求項１または２記載の電子機器。
【請求項４】
前記基準画像は、（Ｒ，Ｇ，Ｂ）＝（ｎ，ｎ，ｎ）（ｎは０≦ｎ≦２５５をみたす整数）で表される色を有する所定の領域を含むことを特徴とする請求項１〜３の何れか一項に記載の電子機器。
【請求項５】
前記投影環境検出部は、所定の理想データと前記撮像画像に基づくデータとを比較して投影環境を検出することを特徴とする請求項１〜４の何れか一項に記載の電子機器。
【発明の詳細な説明】
【技術分野】
【０００１】
本発明は、電子機器に関するものである。
【背景技術】
【０００２】
投影環境に合わせた投影条件を設定する電子機器が知られている（例えば、特許文献１参照）。この電子機器においては、投影面とその周辺の輝度を測定し、測定結果に応じてガンマカーブの設定等の階調設定を行うことにより、投影環境に合わせた画像の投影を行っている。
【先行技術文献】
【特許文献】
【０００３】
【特許文献１】特開２００３−３２４６７０号公報
【発明の概要】
【発明が解決しようとする課題】
【０００４】
しかし、この電子機器においては、予め設定されている数段階のガンマカーブ等により補正を行うため、投影環境に柔軟に対応した画像の補正を行うことができなかった。
【０００５】
本発明の目的は、投影画像に対して投影環境に柔軟に対応した補正を行い、最適な色で画像の投影を行うことができる電子機器を提供することである。
【課題を解決するための手段】
【０００６】
本発明の電子機器は、表示部に表示された画像を投影する投影部と、投影面を撮像する撮像素子と、前記投影面に投影された基準画像を、前記撮像素子により撮像した撮像画像に基づいて投影環境を検出する投影環境検出部と、前記投影環境に基づいて予め設定された所定のガンマカーブを補正し、補正値を設定する補正値設定部と、前記補正値設定部により設定された補正値を用いて前記投影画像に対して補正を行う画像処理部とを備えることを特徴とする。
【発明の効果】
【０００７】
本発明の電子機器によれば、投影画像に対して投影環境に柔軟に対応した補正を行い、最適な色で画像の投影を行うことができる。
【図面の簡単な説明】
【０００８】
【図１】本発明の実施の形態に係るカメラの前面を示す斜視図である。
【図２】本発明の実施の形態に係るカメラの背面を示す図である。
【図３】本発明の実施の形態に係るカメラのシステム構成を示すブロック図である。
【図４】本発明の実施の形態に係るカメラの投影開始処理を示すフローチャートである。
【発明を実施するための形態】
【０００９】
以下、図面を参照して本発明の実施の形態に係る電子機器についてプロジェクタを備えたカメラを例に説明する。図１は、実施の形態に係るカメラの前面を示す斜視図である。カメラ２はプロジェクタを備えるデジタルカメラであって、カメラ２の筐体４はアルミニウム板金等の金属からなる前カバー６及び後カバー８で構成され、前カバー６には、被写体光を入射させる撮影窓１０、画像を投影するプロジェクタ投影窓１２、被写体を照射する光を射出するフラッシュ窓１４が設けられている。また、筐体４の上面には、電源スイッチ１６、レリーズ指示を行うレリーズボタン１８、プロジェクタにより投影される画像のピント合わせを行うためのフォーカスレバー２０が設けられている。
【００１０】
図２は、実施の形態に係るカメラの背面を示す図である。後カバー８には、撮像画像を表示するＬＣＤ表示部２２、カメラ撮影を行う撮影モードとプロジェクタ投影を行うプロジェクタモードとを切り換える切換ボタン２４、投影する画像を選択するマルチセレクタ２６、投影の開始を指示する再生ボタン２８、投影の終了を指示する停止ボタン３０が設けられている。
【００１１】
図３は、実施の形態に係るカメラのシステム構成を示すブロック図である。カメラ２はＣＰＵ３２を備え、ＣＰＵ３２には、操作部３４、ＬＣＤ表示部２２の表示制御を行う表示制御部３６、図示しない撮影レンズ、シャッタの駆動制御を行う撮影制御部３８、撮影レンズを介した被写体を撮像して撮像信号（蓄積電荷としてのアナログ信号）を生成するＣＣＤ或いはＣＭＯＳ等により構成される撮像素子４０、撮像素子４０から出力された撮像信号を図示しないＡ／Ｄ変換部においてＡ／Ｄ変換することにより生成された画像データを記憶するバッファメモリ４２、撮像素子４０から出力される撮像信号に基づく画像データに、ホワイトバランス調整、輪郭補償、ガンマ補正等の画像処理を行う撮像画像処理部４４、撮像画像、投影画像、種々のデータを記憶するメモリカード４６、バッファメモリ４２やメモリカード４６に記憶された画像や種々のデータを投影する投影部４８、投影面を撮像した画像のＲＡＷデータから投影面の反射率等の投影環境を検出する投影環境検出部５０、投影環境に応じて予め設定されている所定のガンマカーブに変更を加え設定する補正値設定部５２、投影部４８により投影される投影画像の画像データに対してガンマカーブを用いたガンマ補正等の補正を行う投影画像処理部５４、投影環境を検出するために投影する基準画像の画像データを記憶する基準画像記憶部５５が接続されている。
【００１２】
ここで、操作部３４は、電源スイッチ１６、レリーズボタン１８、フォーカスレバー２０、切換ボタン２４、マルチセレクタ２６、再生ボタン２８、停止ボタン３０等を含み、投影部４８は、光源であるＬＥＤ５６の点灯及び消灯を行う電源制御部５８、投影する画像を表示するＬＣＯＳ６０の表示制御を行う投影制御部６２を備えている。
【００１３】
次に、図４に示すフローチャートを参照して実施の形態に係るプロジェクタを備えるカメラの投影開始処理について説明する。本実施の形態においては、基準画像は全面が（Ｒ，Ｇ，Ｂ）＝（ｎ，ｎ，ｎ）（ｎは０≦ｎ≦２５５を満たす整数）で表される色を有する基準画像をｎの値が大きいものから順に投影するものとする。即ち、グレースケールにおいて白色側（（Ｒ，Ｇ，Ｂ）＝２５５，２５５，２５５））から黒色側（（Ｒ，Ｇ，Ｂ）＝（０，０，０））に向かって基準画像を順に変更して投影するものとする。また、例として、６枚の基準画像を投影するものとし、これらの６枚の基準画像のｎの値はｎ＝０，５０，１００，１５０，２００，２５５であるものとする。
【００１４】
撮影モードにおいて被写体の撮像またはＬＣＤ表示部２２における撮像画像の再生等の動作中に切換ボタン２４が操作されるとプロジェクタモードに切り換えられ、ＬＥＤ５６を点灯すると共に、全面が（Ｒ，Ｇ，Ｂ）＝（２５５，２５５，２５５）で表される色（白色）である基準画像を基準画像記憶部５５から読み出し、ＬＣＯＳ６０に表示し、投影面に対して投影する（ステップＳ１）。なお、このとき、撮影モードにおいてＬＣＤ表示部２２を用いた表示を行っている場合にはＬＣＤ表示部２２を消灯する。
【００１５】
撮影制御部３８は、投影面に投影された基準画像に撮像素子４０により撮像される画角を一致させるように図示しない撮影レンズを駆動する（ステップＳ２）。そして、投影面に投影された基準画像の投影面の撮像を行い（ステップＳ３）、投影環境検出部５０は、バッファメモリ４２に記憶した撮像画像のＲＡＷデータから色温度を求め（ステップＳ４）、色温度を基準画像の階調の値（ｎ）に対応させて記憶する（ステップＳ５）。
【００１６】
次に、ＣＰＵ３２は投影した基準画像が（Ｒ，Ｇ，Ｂ）＝（０，０，０）、即ち黒色であったか否かを確認する（ステップＳ６）。（Ｒ，Ｇ，Ｂ）＝（０，０，０）でなかった場合には基準画像を変更し、投影を行う（ステップＳ７）。本実施の形態においては、例えば、ＬＣＯＳ６０に表示される基準画像を全面が（Ｒ，Ｇ，Ｂ）＝（２００，２００，２００）で表される色であるものに変更し投影を行う。次にステップＳ３〜Ｓ６の処理を再度行う。
【００１７】
このとき、例えば、６枚の基準画像を投影する場合、ステップＳ６において、投影されていた画像が（Ｒ，Ｇ，Ｂ）＝（２００，２００，２００）であり、（Ｒ，Ｇ，Ｂ）＝（０，０，０）ではないため、ステップＳ７に戻り基準画像を（Ｒ，Ｇ，Ｂ）＝（１５０，１５０，１５０）で表される色に変更してＬＣＯＳ６０に表示し投影を行う。そして、ステップＳ３〜Ｓ５に示す処理を行い、再びステップＳ６において（Ｒ，Ｇ，Ｂ）＝（０，０，０）ではないと判定するため、ステップＳ７に戻り基準画像を（Ｒ，Ｇ，Ｂ）＝（１５０，１５０，１５０）で表される色に変更してＬＣＯＳ６０に表示し、投影を行う。同様にしてステップＳ３〜Ｓ５に示す処理を行い、ステップＳ６において（Ｒ，Ｇ，Ｂ）＝（０，０，０）ではないと判定されるため、ステップＳ７に戻る。同様にして、ステップＳ３〜Ｓ５に示す処理を行い、ＬＣＯＳ６０に表示する基準画像を（Ｒ，Ｇ，Ｂ）＝（１００，１００，１００）、（Ｒ，Ｇ，Ｂ）＝（５０，５０，５０）、（Ｒ，Ｇ，Ｂ）＝（０，０，０）にそれぞれ変更して投影して撮像した画像のＲＡＷデータからＲＧＢデータ及び色温度を抽出し記憶する。
【００１８】
ステップＳ６において（Ｒ，Ｇ，Ｂ）＝（０，０，０）の基準画像の投影が終了したと判断した場合には、投影環境検出部５０は、記憶した色温度を基準画像の階調の値（ｎ）に対してプロットし（ステップＳ８）、投影面に投影されるべき理想の色温度と階調の値の関係を示すデータと比較し、投影環境を検出する（ステップＳ９）。そして、補正値設定部５２は、理想の色温度のデータで示される色温度で投影されるようにガンマ補正に用いるガンマカーブに対して補正を行い（ステップＳ１０）、補正したガンマカーブ（補正値）をガンマ補正に用いるガンマカーブとして設定する（ステップＳ１１）。
【００１９】
例えば、ステップＳ９における理想のデータは、階調の値によらず色温度が略一定であるものとし、撮像画像に基づくデータでは階調の値によって色温度の変化が大きいものである場合には、ステップＳ１０において色温度の変化が小さくなるようにガンマカーブの修正を行う。なお、理想のデータにおける色温度は、環境光の明るさ等の投影環境により変化するため、複数の理想のデータの中から投影環境に適したデータを選択し、ステップＳ９において比較するようにしてもよい。
【００２０】
本実施の形態に係るカメラによれば、ガンマカーブ補正後にメモリカードから投影画像データを読み出して投影する際には、投影画像処理部は補正したガンマカーブを用いて画像データに対して補正を行うため、投影面の色や反射率、環境光等の投影環境に影響されることなく理想の色で投影を行うことができる。
【００２１】
なお、上述の実施の形態において、６枚の基準画像を投影しガンマカーブを補正する構成としたが、より多くの基準画像を投影する構成としてもよい。この場合には、基準画像を投影する階調が多くなるため、投影環境により対応したガンマカーブの補正を行うことができる。
【００２２】
また、上述の実施の形態において補正したガンマカーブを投影終了時に予め設定されたガンマカーブとして補正値設定部５２に設定してもよいし、補正したガンマカーブを削除し、補正値設定部５２に予め設定されるガンマカーブをガンマ補正に用いるガンマカーブとしてもよい。
【００２３】
また、上述の実施の形態において、全画面が（Ｒ，Ｇ，Ｂ）＝（ｎ，ｎ，ｎ）で表される色を有する基準画像を投影する構成としたが、基準画像の一部の領域が（Ｒ，Ｇ，Ｂ）＝（ｎ，ｎ，ｎ）で表される色を有する構成としてもよい。
【符号の説明】
【００２４】
２…カメラ、１０…撮影窓、１２…プロジェクタ投影窓、２４…切換ボタン、４０…撮像素子、４８…投影部、５０…投影環境検出部、５２…補正値設定部、５４…投影画像処理部、５６…ＬＥＤ、６０…ＬＣＯＳ。
【図１】
2010183465.tif 000003
【図２】
2010183465.tif 000004
【図３】
2010183465.tif 000005
【図４】
2010183465.tif 000006